(57)【特許請求の範囲】
【請求項１】
収納部を形成したケース本体（２）の後端部に、ケース蓋（１１）を開閉回動自在に蝶番結合し、前記ケース本体（２）とケース蓋（１１）の先端部に、閉状態を達成保持する開閉係止機能部（Ｌ）を設けたケース（１）と、前記ケース本体（２）の収納部に着脱自在に嵌装組付きし、化粧料（Ｋ）を収納するレフィール本体（１８）にレフィール蓋（２９）をヒンジ（３４）により一体結合したレフィール容器（１７）と、から構成し、前記ケース本体（２）の収納部およびレフィール容器（１７）の主体部分の平面形状を、中心点に関して点対称の同じ形状とし、前記ケース本体（２）の収納部を形成する周壁の左右両側部分に、組付いた前記レフィール容器（１７）のヒンジ（３４）が位置する装着用欠部（８）を対称に設け、前記収納部を形成するケース本体（２）の内周面とレフィール容器（１７）の主体部分の外周面とに対向して設けられて、前記ケース本体（２）に対するレフィール容器（１７）の組付きを達成保持する複数の組付き係止機能部（Ｍ）を、前記中心点に関して点対称に配置して成るコンパクト容器。
【請求項２】
組付き係止機能部(M) を、斜め前後左右の四箇所に設けた請求項１記載のコンパクト容器。
【請求項３】
ケース本体(2) の収納部を上下に開放した構造とし、該収納部を形成するケース本体(2) の内周面およびレフィール容器(17)の前端部分に、前記ケース本体(2) 側の外れ防止係止突片(10)と、該外れ防止係止突片(10)が係止するレフィール容器(17)側の外れ防止凹部(23)との組合せで構成され、前記レフィール容器(17)の離脱方向への変位に対して強い係止力を発揮する外れ防止係止機能部(N) を設け、前記レフィール容器(17)の後端部分に、前記前端部分に設けた外れ防止凹部(23)と中心点に関して点対称に外れ防止凹部(23)を設けた請求項１または２記載のコンパクト容器。
【請求項４】
レフィール蓋(29)のヒンジ(34)とは反対側の端部に引っ掛かり片(33)を立設し、ケース蓋(11)の両側端部に、閉状態で前記引っ掛かり片(33)を乗り越えて下方から係止可能に対向する引っ掛け片(15)を設けた請求項１または２または３記載のコンパクト容器。
【請求項５】
レフィール蓋(29)の上面周端部に、複数の受け突片(32)を中心点に関して点対称配置で起立設し、ケース蓋(11)の内面に、閉状態で前記受け突片(32)に上方から押圧当接する押圧突片(14)を垂下設した請求項１または２または３または４記載のコンパクト容器。
【発明の詳細な説明】
【０００１】
【発明の属する技術分野】
本発明は、化粧料を密に開閉収納した小容器であるレフィール容器を、ケースにカセット状に着脱自在に組付けて携帯使用するコンパクト容器に関するものである。
【０００２】
【従来の技術】
開閉蓋としての中蓋を有する中皿としてのレフィール容器を、外ケースとしての化粧料容器にカセット状に着脱自在に組付けて構成されたコンパクト容器の従来技術の代表例として、特開平０９−０９８８２９号公報に開示されたものが知られている。
【０００３】
この従来技術に示されたコンパクト容器は、容器本体と蓋体とを開閉回動自在に蝶番結合したケースの容器本体内を、隔成壁により左右に、レフィール容器を着脱自在に収納する脱着収納部と、化粧具収納部とに区画し、コンパクト容器全体の厚みをできる限り小さくすることができるように、脱着収納部を底壁のない筒構造に構成しており、レフィール容器の蝶番部分を、容器本体の側壁に形成された切欠部に臨ませ、このレフィール容器の蝶番部分を操作してレフィール容器の着脱を行うようにすることにより、レフィール容器の安全で円滑な着脱処理を得ることができるようにしている。
【０００４】
【発明が解決しようとする課題】
しかしながら、上記した従来技術にあっては、ケースの容器本体に対するレフィール容器の組付け姿勢の方向が一定不変であるため、人によっては利き腕の違い等により、レフィール容器の良好で適正な取扱い状況を得ることができない、と云う問題があった。
【０００５】
そこで、本発明は、上記した従来技術における問題点を解消すべく創案されたもので、ケースに対するレフィール容器の組付き姿勢の方向性を特定させないことを技術的課題とし、もって利き腕の違い等に関係なく、ケースに組付けられたレフィール容器を良好に取り扱うことができるようにすることを目的とする。
【０００６】
【課題を解決するための手段】
上記技術的課題を解決する本発明の内、請求項１記載の発明の手段は、
収納部を形成したケース本体の後端部にケース蓋を開閉回動自在に蝶番結合し、ケース本体とケース蓋の先端部に、閉状態を達成保持する開閉係止機能部を設けたケースと、ケース本体の収納部に着脱自在に嵌装組付きし、化粧料を収納するレフィール本体にレフィール蓋をヒンジにより一体結合したレフィール容器と、から構成すること、
ケース本体の収納部およびレフィール容器の主体部分（ヒンジを除いた収納機能部分の全部）の平面形状を、中心点に関して点対称の同じ形状とすること、
ケース本体の収納部を形成する周壁の左右両側部分に、組付いたレフィール容器のヒンジが位置する装着用欠部を対称に設けること、
収納部を形成するケース本体の内周面とレフィール容器の主体部分の外周面とに対向して設けられて、ケース本体に対するレフィール容器の組付きを達成保持する複数の組付き係止機能部を、中心点に関して点対称に配置したこと、
にある。
【０００７】
ケース本体の収納部およびレフィール容器の主体部分の平面形状が、中心点に関して点対称の同じ形状となっているので、ケース本体の収納部に対するレフィール容器の嵌装組付け姿勢を１８０°反転、すなわち左右反転させても、ケース本体の収納部とレフィール容器の主体部分との対向姿勢関係は全く変化せず、これによりケース本体の収納部に対するレフィール容器の嵌装組付けは、何ら支障なく適正に達成できることになる。
【０００８】
ケース本体の収納部に嵌装組付けされたレフィール容器のヒンジが侵入位置する装着用欠部を、ケース本体の左右両側部分に設けたので、ケース本体に組付けられるレフィール容器の姿勢が左右反転しているか否かに関わりなく、ケース本体にレフィール容器を嵌装組付けした際に、レフィール容器のヒンジは、必ず何れか一方の装着用欠部に侵入位置するので、ケース本体に対するレフィール容器の左右反転組付けに、ヒンジが邪魔となることは全くない。
【０００９】
複数の組付き係止機能部を、ケース本体の収納部およびレフィール容器の主体部分の平面形状の中心点に関して点対称に配置したので、ケース本体に対するレフィール容器の組付き姿勢を左右反転させても、組付き係止機能部のケース本体側部分とレフィール容器側部分とは、必ず係止可能に対向することになり、これによりケース本体に対するレフィール容器の組付き姿勢の左右反転の有無に関わりなく、組付き係止機能部は確実に動作することになる。
【００１０】
請求項２記載の発明は、請求項１記載の発明の組付き係止機能部を、斜め前後左右の四箇所に設けた構成としたものである。
【００１１】
この請求項２記載の発明にあっては、組付き係止機能部を、斜め前後左右の四箇所に配置したので、レフィール容器の全周にわたって略均等に組付き係止力を作用させることができ、また各組付き係止機能部を、開閉係止機能部や装着用欠部から制約を受けることなく、形成配置することができる。
【００１２】
請求項３記載の発明は、請求項１記載の発明に、ケース本体の収納部を上下に開放した構造とし、この収納部を形成するケース本体の内周面およびレフィール容器の前端部分に、ケース本体側の外れ防止係止突片と、この外れ防止係止突片が係止するレフィール容器側の外れ防止凹部との組合せで構成され、レフィール容器の離脱方向への変位に対して強い係止力を発揮する外れ防止係止機能部を設け、レフィール容器の後端部分に、前端部分に設けた外れ防止凹部と中心点に関して点対称に外れ防止凹部を設けたこと、を加えたものである。
【００１３】
この請求項３記載の発明にあっては、ケース本体の収納部を上下に開放させて底壁のない構成とすることにより、容器全体の厚みを小さくすることが可能となるのであるが、開閉係止機能部を係止させる力の一部が、ケース本体の収納部から露出したレフィール容器の下面の前端部に押し上げ力として作用して、ケース本体に対するレフィール容器の組付きが不完全なものとなることがないように、外れ防止係止機能部により、ケース本体に対するレフィール容器の前端部分の組付きを強固に確保している。
【００１４】
外れ防止係止機能部のレフィール容器側の構成部分である外れ防止凹部が、レフィール容器の前端部分と後端部分とに、中心点に関して点対称に設けられているので、ケース本体に対するレフィール容器の組付きが左右反転しても、必ず何れか一方の外れ防止凹部がケース本体の外れ防止係止突片に対向して係止するので、ケース本体にレフィール容器を左右反転して組付けても、外れ防止係止機能部の動作を確実に得ることができる。
【００１５】
また、レフィール容器がケース本体に組付いた状態で、後側に位置する外れ防止凹部は、遊び状態となるが、外れ防止凹部自体が引っ込んだ構造であるので、レフィール容器のケース本体に対する組付きに邪魔となることがない。
【００１６】
請求項４記載の発明は、請求項１記載の発明に、レフィール蓋のヒンジとは反対側の端部に引っ掛かり片を立設し、ケース蓋の両側端部に、閉状態で引っ掛かり片を乗り越えて下方から係止可能に対向する引っ掛け片を設けた、ことを加えたものである。
【００１７】
この請求項４記載の発明にあっては、ケース蓋の両側端部に引っ掛け片を設けたので、ケース本体に対するレフィール容器の組付けを左右反転させても、必ず一方の引っ掛け片がレフィール容器の引っ掛かり片に対向することになり、これによりケース本体に対するレフィール容器の組付き姿勢の反転の有無に関わりなく、引っ掛け片の引っ掛かり片に対する係止により、ケース蓋の開動作によりレフィール蓋を開状態とすることができる。
【００１８】
請求項５記載の発明は、請求項１記載の発明に、レフィール蓋の上面周端部に複数の受け突片を中心点に関して点対称配置で起立設し、ケース蓋の内面に、閉状態でレフィール蓋の受け突片に上方から押圧当接する押圧突片を垂下設した、ことを加えたものである。
【００１９】
この請求項５記載の発明にあっては、レフィール容器を収納したケースを閉状態にすると、閉姿勢に係止保持されたケース蓋の押圧突片が受け突片を介してレフィール蓋を閉姿勢に押圧保持するので、ケースは収納したレフィール容器の密閉を達成保持することになるが、このケースのレフィール容器に対する作用は、ケースに対するレフィール容器の組付き姿勢が左右反転しても、押圧突片および受け突片が中心点に関して点対称に配置されていることから、変わることなく確実に発揮される。
【００２０】
【発明の実施の形態】
以下、本発明の実施例を、図面を参照しながら説明する。
本発明のコンパクト容器は、化粧料Ｋを開閉自在に、かつ塗布使用し易い状態で密に収納保持するレフィール容器１７を、鏡１６を有するケース１に着脱自在（図１参照）に組合せて構成され、ケース１は、レフィール容器１７を着脱自在に組付けるケース本体２とケース蓋１１とを蝶番結合して構成され、レフィール容器１７は、レフィール本体１８とレフィール蓋２９とを、一体にヒンジ結合して構成されている。
【００２１】
ケース１のケース本体２は、上下に開放した中央空間部をレフィール容器１７の収納部としたリング構造をしており、内周面下端に、組付けたレフィール容器１７の下方への抜け出しを阻止する底内鍔片３を周設し、前端部に開閉係止機能部Ｌの開閉用凹部４を、後端部に蝶番凹部７を、そして左右両側部上面にレフィール容器１７組付け用の装着用欠部８を設け、さらに内周面に、組付き係止機能部Ｍの組付け係止片９を、斜め左右前後の四箇所に、平面形状の中心点に関して点対称に配置すると共に、外れ防止係止機能部Ｎの外れ防止係止突片１０を、組付け係止片９よりも前側の二箇所に左右対称に配置して設けて構成されている。
【００２２】
ケース１のケース蓋１１は、全体形状が伏した薄皿構造をしていて、前端部に開閉係止機能部Ｌの開閉係止片１２を、また後端部に蝶番片１３をそれぞれ垂下設し、貼着固定した鏡１６を避けた内面箇所に四つの押圧突片１４を、中心点に関して点対称に垂下設し、また左右両側端に引っ掛け片１５を左右対称に垂下設して構成されている。
【００２３】
レフィール容器１７のレフィール本体１８は、レフィール底体２４および内容器２６との組合せにより化粧料Ｋの収納部を構成し、レフィール本体１８とレフィール底体２４との組合せ物の外周面には、組付き係止機能部Ｍの組付き係止片２２を、斜め前後左右の四箇所に、中心点に関して点対称に設け、また外れ防止係止機能部Ｎの外れ防止凹部２３を、前後端部の左右端の四箇所に、中心点に関して点対称に設けており、ヒンジ３４を装着用欠部８内に位置させた状態で、レフィール底体２４の下面周端部をケース本体２の底内鍔片３に上方から係止させることにより、ケース本体２の収納部に上方から抜け出し不能に嵌入組付けされる。
【００２４】
このレフィール本体１８は、リング状をした本体部分の上面内周端から口鍔筒片１９を立設すると共に、この口鍔筒片１９の外側に係止筒片２０を立設し、また本体部分の下面に嵌合筒片２１を垂下設して構成され、嵌合筒片２１と強固に嵌合する嵌着筒片２５（図示実施例の場合、嵌合筒片２１を間に強固に嵌合させる二重筒構造となっている）を平板体の上面周端に立設したレフィール底体２４との組付きにより、有頂短筒状に構成されたシート製の内容器２６の筒壁下端部を、嵌合筒片２１と嵌着筒片２５との間に強固に挟持し、この内容器２６の挟持組付けにより、内容器２６とレフィール底体２４との組合せ物内に化粧料Ｋを収容した状態で組立てられる。
【００２５】
レフィール容器１７のレフィール蓋２９は、平板状本体部分の周端縁に、レフィール本体１８の係止筒片２０に外嵌係合する係合筒片３１を、またこの係合筒片３１の内側の下面部分に、レフィール本体１８の口鍔筒片１９に密嵌合するシール筒片３０をそれぞれ垂下設し、さらに係合筒片３１の一部を上方に延長させた形態で、四つの受け突片３２（図１および図９参照）を、押圧突片１４に対向して起立設し、引っ掛かり片３３（図１および図７参照）を、ヒンジ３４とは反対の側端部に起立設して構成され、係合筒片３１の後端下端部をレフィール本体１８にヒンジ３４（図７参照）で一体結合して構成されている。
【００２６】
レフィール蓋２９は、シール筒片３０をレフィール本体１８の口鍔筒片１９に密嵌合させることにより、レフィール本体１８の開口部を密閉するが、このシール筒片３０の口鍔筒片１９への密嵌合は、レフィール本体１８の係止筒片２０とレフィール蓋２９の係合筒片３１との嵌合組付きを、両側方部（一方側部にヒンジ３４が位置している、図７参照）と前後両部とを係止させることにより維持して確保され、この係止筒片２０と係合筒片３１との係止は、四つの係止部の間に位置する受け突片３２に対するケース蓋１１の押圧突片１４の押圧により確保される。
【００２７】
レフィール蓋２９の引っ掛かり片３３は、ヒンジ３４とは反対の側方箇所に位置しているので、ケース１の閉状態では、ケース蓋１１の引っ掛け片１５が下方から対向し、ケース蓋１１を開放回動させると、このケース蓋１１の引っ掛け片１５が引っ掛かり片３３に下方から引っ掛かって上方に引き上げるので、ケース蓋１１の開放と一緒にレフィール容器１７の開放が達成されることになるが、この動作は、引っ掛け片１５が左右両側に対称に設けられていることから、ケースに対するレフィール容器１７の組付け姿勢を左右反転させても同じとなる。
【００２８】
蝶番凹部７に蝶番片１３を嵌合させて蝶番軸により蝶番結合されたケース本体２とケース蓋１１の先端間に形成された開閉係止機能部Ｌ（図２参照）は、ケース本体２の前端部に形成した開閉用凹部４の底面に設けた係止突片５と、ケース蓋１１の前端部に垂下状に設けた開閉係止片１２を主体として構成され、開閉用凹部４内に前後変位可能に組付けられた開閉駒片６の、押圧されることによる後退変位を利用して、係止突片５と開閉係止片１２との係止を解除するようにしている。
【００２９】
レフィール容器１７は、レフィール本体１８に対するレフィール底体２４の嵌合組付けにより、内容器２６の組付けと同時に化粧料Ｋの収納を達成するが、化粧料Ｋを直接収納している内容器２６の多数の注出スリットを開設した頂壁部分には、化粧料Ｋの注出形態を適正に制御するメッシュ体２７が設けられており、さらに口鍔筒片１９の上周面には、化粧料Ｋの密封収納を強固にかつ確実に達成するための剥離自在な密封シート２８が取付けられている。
【００３０】
化粧料Ｋを収納したレフィール容器１７は、その引っ掛かり片３３およびヒンジ３４を装着用欠部８に対向させた姿勢で、組付き係止機能部Ｍによりケース本体２に組付け保持される。
【００３１】
組付き係止機能部Ｍは、ケース本体２の内周面に突片状に設けられた組付け係止片９と、レフィール本体１８の外周面に形成された舌片の外面下端に突設された組付き係止片２２との組合せで構成され（図８参照）、この組合せを斜め前後左右の四箇所（図２参照）に、中心点に関して点対称に配置して構成し、これによりケース１に対するレフィール容器１７の組付けを左右反転させても、組付き係止片２２は必ず組付け係止片９と対向係止して、ケース本体２に対するレフィール容器１７の反転組付きを確保する。
【００３２】
外れ防止係止機能部Ｎは、ケース本体２の内周面の前端部分の左右に突設された二つの外れ防止係止突片１０と、レフィール容器１７の前後両端部分の左右に位置し、レフィール本体１８とレフィール底体２４との組合せ境界部分に形成された四つの外れ防止凹部２３との組合せで構成（図９参照）されるが、四つの外れ防止凹部２３は、前方に位置した二つだけが機能する。
【００３３】
なお、コンパクト容器の閉姿勢状態で、ケース蓋１１の押圧突片１４との突き当たりにより、ケース１の開閉係止機能部Ｌの閉鎖保持力を利用してレフィール容器１７の閉状態を確保する受け突片３２は、ケース蓋１１とレフィール蓋２９との間に、パフＰを安定して収納できるパフ収納部を形成している。
【００３４】
【発明の効果】
本発明は、上記した構成となっているので、以下に示す効果を奏する。
前後方向に開閉操作されるケースに対して、レフィール容器を左右方向に開閉操作する姿勢で組付けるに際して、ケースに対するレフィール容器の組付き姿勢の向きを、ケースとレフィール容器の二つの容器の開閉を、連続的に簡単に行い易い、左右何れか一方に選択して設定することができるので、コンパクト容器の円滑で良好な取扱いを得ることができる。
【００３５】
請求項２記載の発明にあっては、組付き係止機能部を、斜め前後左右の四箇所に配置したので、レフィール容器の全周にわたって略均等に組付き係止力を作用させることができ、これによりケース本体に対するレフィール容器の安定した組付きを得ることができ、また各組付き係止機能部を、開閉係止機能部や装着用欠部から制約を受けることなく、形成配置することができるので、強固であ確実な係止組付き力を得ることができる。
【００３６】
請求項３記載の発明にあっては、ケース本体に対するレフィール容器の組付けを左右反転させても、外れ防止係止機能部の動作を確実に得ることができ、レフィール容器側の外れ防止係止機能部構成部分が凹部構造であるので、後側に位置して遊び状態となった外れ防止凹部が、ケース本体に対するレフィール容器の組付きに邪魔となることがなく、ケース本体に対するレフィール容器の安定した組付きを得ることができる。
【００３７】
請求項４記載の発明にあっては、ケース蓋の両側端部に引っ掛け片を設けたので、ケース本体に対するレフィール容器の組付けを左右反転させても、必ず一方の引っ掛け片がレフィール容器の引っ掛かり片に対向することになり、これによりケース本体に対するレフィール容器の組付き姿勢の反転の有無に関わりなく、引っ掛け片の引っ掛かり片に対する係止により、ケース蓋の開動作によりレフィール蓋を開状態とすることができ、好適な取扱い状況を得ることができる。
【００３８】
請求項５記載の発明にあっては、ケースの開閉係止機能部の係止力をレフィール容器の閉鎖に作用させることが、ケースに対するレフィール容器の組付きの反転に関わりなく達成されるので、化粧料を収納しているレフィール容器の強固で確実な密閉を達成保持することができ、これにより化粧料の安全で良好な収納保持を得ることができる。
【図面の簡単な説明】
【図１】本発明の一実施形態の分離させた状態での、全体斜視図。
【図２】図１に示した実施形態の、ケース開放状態での全体平面図。
【図３】図１に示した実施形態の、ケース単体の開放状態での全体平面図。
【図４】図１に示した実施形態の、レフィール容器の全体正面図。
【図５】図１に示した実施形態の、レフィール容器の開放方向を一方に設定した全体開放平面図。
【図６】図１に示した実施形態の、レフィール容器の開放方向を他方に設定した全体開放平面図。
【図７】図１に示した実施形態の、閉状態での全体縦断正面図。
【図８】図２中Ａ−Ａ線に沿って切断矢視した閉状態での、部分縦断面図。
【図９】図２中Ｂ−Ｂ線に沿って切断矢視した閉状態での、部分縦断面図。
【符号の説明】
１  ；  ケース
２  ；  ケース本体
３  ；  底内鍔片
４  ；  開閉用凹部
５  ；  係止突片
６  ；  開放駒片
７  ；  蝶番凹部
８  ；  装着用欠部
９  ；  組付け係止片
１０；  外れ防止係止突片
１１；  ケース蓋
１２；  開閉係止片
１３；  蝶番片
１４；  押圧突片
１５；  引っ掛け片
１６；  鏡
１７；  レフィール容器
１８；  レフィール本体
１９；  口鍔筒片
２０；  係止筒片
２１；  嵌合筒片
２２；  組付き係止片
２３；  外れ防止凹部
２４；  レフィール底体
２５；  嵌着筒片
２６；  内容器
２７；  メッシュ体
２８；  密封シート
２９；  レフィール蓋
３０；  シール筒片
３１；  係合筒片
３２；  受け突片
３３；  引っ掛かり片
３４；  ヒンジ
Ｋ  ；  化粧料
Ｐ  ；  パフ
Ｌ  ；  開閉係止機能部
Ｍ  ；  組付き係止機能部
Ｎ  ；  外れ防止係止機能部
【図１】
0004392697.tif 000002
【図２】
0004392697.tif 000003
【図３】
0004392697.tif 000004
【図４】
0004392697.tif 000005
【図５】
0004392697.tif 000006
【図６】
0004392697.tif 000007
【図７】
0004392697.tif 000008
【図８】
0004392697.tif 000009
【図９】
0004392697.tif 000010